(57)【要約】  コモンモード電圧を抑制し、高周波特性を良好にする出力フィルタとそれを用いた電力変換装置を提供する。  出力フィルタの多相コモンモードフィルタ(１２０)は、一端を電力変換器の出力に接続した多相コモンモードチョーク(１２１)と、一端を多相コモンモードチョークの他端に接続した第１多相コンデンサ(１２２)と、一端を第１多相コンデンサの他端に接続した中性点検出トランス(１０４)と、を備え、多相ノーマルモードフィルタ(１３０)は、一端を多相コモンモードチョークの他端に接続した多相ノーマルモードチョーク(１３１)と、一端を多相ノーマルモードチョークの他端に接続し他端どうしを接続した第２多相コンデンサ(１３２)と、を備え、一端を電力変換器のフレームグランドに接続し他端を中性点検出トランスの他端に接続したコンデンサ抵抗直列接続体(１５０)と、を備え、第２多相コンデンサの他端とコンデンサ抵抗直列接続体の一端を接続した。
2009110354.tif 000002
【特許請求の範囲】
【請求項１】
一端を電力変換器の出力に接続した多相コモンモードフィルタと、一端を前記多相コモンモードフィルタの他端に接続し他端をモータに接続した多相ノーマルモードフィルタと、からなる出力フィルタにおいて、
前記多相コモンモードフィルタは、一端を前記電力変換器の出力に接続した多相コモンモードチョークと、一端を前記多相コモンモードチョークの他端に接続した第１多相コンデンサと、一端を前記第１多相コンデンサの他端に接続した中性点検出トランスと、を備え、
前記多相ノーマルモードフィルタは、一端を前記多相コモンモードチョークの他端に接続した多相ノーマルモードチョークと、一端を前記多相ノーマルモードチョークの他端に接続し他端どうしを接続した第２多相コンデンサと、を備え、
一端を前記電力変換器のフレームグランドに接続し他端を前記中性点検出トランスの他端に接続したコンデンサ抵抗直列接続体と、を備え、
前記第２多相コンデンサの他端と前記コンデンサ抵抗直列接続体の一端を接続したことを特徴とする出力フィルタ。
【請求項２】
前記多相ノーマルモードチョークと並列に接続した並列抵抗を備えることを特徴とする請求項１記載の出力フィルタ。
【請求項３】
前記中性点検出トランスは、前記中性点検出トランスの一端を前記多相コモンモードチョークの他端に接続し他端を中性点検出端とする１次巻線と、デルタ結線した２次巻線と、を備えることを特徴とする請求項１記載の出力フィルタ。
【請求項４】
請求項１乃至３記載の出力フィルタを電力変換器の出力に搭載したことを特徴とする電力変換装置。
【発明の詳細な説明】
【技術分野】
【０００１】
本発明は、電力変換装置のスイッチング動作で発生する高周波ノイズを低減する出力フィルタとそれを用いた電力変換装置に関する。
【背景技術】
【０００２】
出力フィルタの従来技術を説明する。電力変換装置出力側における問題として、高周波漏れ電流、モータ端子でのサージ電圧などが挙げられる。このような問題を解決するために従来は電力変換装置の出力側に出力フィルタを付加して対策を行ってきた。従来の電力変換装置の出力フィルタには例えば特許文献１および２、非特許文献１および２がある。特許文献１および２、非特許文献１は、コモンモード電圧を抑制するためのコモンモードフィルタである。また、非特許文献２は、モータ端子でのサージ電圧を抑制するためのノーマルモードノーマルモードフィルタおよびコモンモード電圧を抑制するためのコモンモードフィルタから構成されたものである。特許文献１および２、非特許文献１に代表されるコモンモードフィルタは、フィルタの共振周波数を電力変換装置のキャリア周波数よりも低くしているため、高周波漏れ電流を効果的に抑制することができる。また、非特許文献２に代表されるフィルタ方式は、コモンモード電圧およびモータ端子でのサージ電圧を抑制することができる。また、非特許文献２に代表される方式は、特許文献１および２、非特許文献１などの方式に比べ、フィルタのカットオフ周波数が、電力変換装置のキャリア周波数よりも遥かに高いため、サイズが小さく且つ安価となる。
【特許文献１】特許第３５９６６９４号（第６頁、図１）
【特許文献２】特許第３４６６１１８号（第１２頁、図１）
【非特許文献１】ＩＥＥＥ  ＴＲＡＮＳＡＣＴＩＯＮＳ  ＯＮ  ＩＮＤＵＳＴＲＹ  ＡＰＰＬＩＣＡＴＩＯＮＳ、ＶＯＬ．２８、ＮＯ．４、ｐ８５８〜ｐ８６３、ＪＵＬＹ／ＡＵＧＵＳＴ  １９９２
【非特許文献２】電気学会論文誌Ｄ、１１６巻１２号、平成８年、ｐ１２１１〜１２１９
【発明の開示】
【発明が解決しようとする課題】
【０００３】
しかしながら、特許文献１および２、非特許文献１に代表されるコモンモードフィルタは、モータ端子でのサージ電圧の抑制をすることができないという問題がある。また、非特許文献２の方式は、モータケーブルの長さが変わるとフィルタのカットオフ周波数が変化してしまい、特定用途のみにしか用いることができないという問題がある。また、一般に高周波になると回路の各部に点在する浮遊容量あるいは配線インダクタンス、フィルタのバイパス回路部に用いるダンピング抵抗によりフィルタ特性が落ちてしまうという問題がある。このように、従来の出力フィルタは、特定用途のみにしか用いることができない上に、高周波になるとフィルタ特性を十分に発揮することができないという問題があった。
本発明はこのような問題点に鑑みてなされたものであり、モータ端子でのサージ電圧を抑制するとともに電力変換装置でのスイッチングにより発生するコモンモード電圧を抑制し、フィルタの高周波特性を良好にする出力フィルタとそれを用いた電力変換装置を提供することを目的とする。
【課題を解決するための手段】
【０００４】
請求項1記載の発明は、一端を電力変換器の出力に接続した多相コモンモードフィルタと、一端を前記多相コモンモードフィルタの他端に接続し他端をモータに接続した多相ノーマルモードフィルタと、からなる出力フィルタにおいて、前記多相コモンモードフィルタは、一端を前記電力変換器の出力に接続した多相コモンモードチョークと、一端を前記多相コモンモードチョークの他端に接続した第１多相コンデンサと、一端を前記第１多相コンデンサの他端に接続した中性点検出トランスと、を備え、前記多相ノーマルモードフィルタは、一端を前記多相コモンモードチョークの他端に接続した多相ノーマルモードチョークと、一端を前記多相ノーマルモードチョークの他端に接続し他端どうしを接続した第２多相コンデンサと、を備え、一端を前記電力変換器のフレームグランドに接続し他端を前記中性点検出トランスの他端に接続したコンデンサ抵抗直列接続体と、を備え、前記第２多相コンデンサの他端と前記コンデンサ抵抗直列接続体の一端を接続したことを特徴とするものである。【０００５】
請求項２記載の発明は、請求項１記載の出力フィルタにおいて、前記多相ノーマルモードチョークと並列に接続した並列抵抗を備えることを特徴とするものである。
請求項３記載の発明は、請求項１記載の出力フィルタにおいて、前記中性点検出トランスは、前記中性点検出トランスの一端を前記多相コモンモードチョークの他端に接続し他端を中性点検出端とする１次巻線と、デルタ結線した２次巻線と、を備えることを特徴とするものである。
請求項４記載の発明は、電力変換装置において、請求項１乃至３記載の出力フィルタを電力変換器の出力に搭載したことを特徴とするものである。
【発明の効果】
【０００６】
本発明によると、モータ端子でのサージ電圧を抑制するとともに電力変換装置でのスイッチングにより発生するコモンモード電圧を抑制し、フィルタの高周波特性を良好にする出力フィルタとそれを用いた電力変換装置を提供することができる。
【図面の簡単な説明】
【０００７】
【図１】本発明の実施例１の構成を示すブロック図
【図２】本発明のタ出力フィルタおよびコモンモードにおけるモータの等価回路を示す図
【図３】出力フィルタおよびモータの１相分ノーマルモード等価回路
【図４】実施例２の構成を示すブロック図
【図５】電力変換装置およびモータ間のコモンモード等価回路
【図６】ノーマルモードにおける出力フィルタのゲイン特性を示す図
【図７】本発明の出力フィルタを用いた場合のモータ端子電圧を示す測定結果
【図８】コモンモードにおける電力変換装置出力側フィルタのゲイン特性を現す計算結果
【図９】コモンモードにける各部電圧・電流の計算結果
【図１０】コモンモード電圧Ｖｃ１およびＶｃ２の周波数解析計算結果
【符号の説明】
【０００８】
１００  電源
１０１  電力変換装置
１０２  モータ
１０３  本発明の電力変換装置出力側フィルタ
１０４  中性点検出トランス
１０５  モータ１相当たりのインダクタンスおよび抵抗成分
１２０  多相コモンモードフィルタ
１２１  多相コモンモードチョーク
１２２  第１多相コンデンサ
１３０  多相ノーマルモードフィルタ
１３１  多相ノーマルモードチョーク
１３２  第２多相コンデンサ
１３３  並列抵抗
１４１  中性点検出トランスの１次巻線
１４２  中性点検出トランスの２次巻線
１５０  コンデンサ抵抗直列接続体
【発明を実施するための最良の形態】
【０００９】
以下、本発明の実施の形態について図を参照して説明する。
【実施例１】
【００１０】
図１は、本発明の出力フィルタをモータドライブシステムへ適用した場合の構成を示すブロック図である。図において、１００は電源、１０１は電力変換装置、１０２はモータ、１０３は本発明の出力フィルタ、１０４は中性点検出トランスである。また、１２０は多相コモンモードフィルタ、１２１は多相コモンモードチョークＬｃ、１２２は第１多相コンデンサＣｃ１、１３０は多相ノーマルモードフィルタ、１３１は多相ノーマルモードチョークＬｎ、１３２は第２多相コンデンサＣｎ、１３３は並列抵抗Ｒｎ、１４１は中性点検出トランス１０４の１次巻線、１４２は中性点検出トランス１０４の２次巻線、１５０はコンデンサ抵抗直列接続体Ｃｃ２、Ｒｃである。【００１１】
本発明が従来技術と異なる部分は、多相コモンモードチョーク１２１、コモンモードフィルタ用第１多相コンデンサ１２２、コンデンサ抵抗直列接続体１５０、中性点検出トランス１０４から成るコモンモードフィルタの帰線ｎ１と並列抵抗１３３、多相ノーマルモードチョーク１３１、第２多相コンデンサ１３２から成る多相ノーマルモードフィルタ１３０の中性点ｎ２を接続した点である。【００１２】
図２に電力変換装置とモータ間の結線図を示し、図３にノーマルモードにおける出力フィルタの等価回路を示す。ここで、Ｃｃａｂｌｅ１は電力線Ｕ、Ｖ、Ｗ間の浮遊容量を表し、Ｃｃａｂｌｅ２は電力線Ｕ、Ｖ、Ｗとグランド線ＧＮＤ間の浮遊容量を表し、Ｃｍはモータ巻線とモータフレーム間の浮遊容量を表す。本発明の出力フィルタの１相分の等価回路は、図３（ａ）に示すように表すことができる。また、本発明の出力側フィルタは低周波領域と高周波領域においてはフィルタ特性が異なる。【００１３】
動作は、図３（ｂ）および（ｃ）に示すように、低周波領域においては並列抵抗Ｒｎのインピーダンスに比べてノーマルモードチョークＬｎのインピーダンス小さくなり、並列抵抗Ｒｎを無視することができる。また、高周波領域においてはノーマルモードチョークＬｎのインピーダンスに比べて並列抵抗Ｒｎのインピーダンスは小さくなり、ノーマルモードチョークＬｎを無視することができる。また、図６（ａ）に出力フィルタがない場合の電力線Ｕ、Ｖ間のゲイン特性を示し、図６（ｂ）に本発明の出力フィルタを用いた場合のゲイン特性を示す。図６（ｂ）に示すように本発明の出力側フィルタを用いると低周波領域では出力ゲインは下がらず、高周波領域に対しては、サージ電圧を引き起こす原因である共振現象を低減できる。図７（ａ）に出力側フィルタがない場合のモータ端子電圧Ｖ’ｕｖを示し、図７（ｂ）に本発明の出力側フィルタを用いた場合のモータ端子電圧Ｖ’ｕｖを示す。このように本発明の出力側フィルタはノーマルモードにおいて、高周波成分に対してはＲＣフィルタとして作用し、モータ端子でのサージ電圧を低減することができる。
【実施例２】
【００１４】
図４は実施例２の構成を示すブロック図である。図４の（ａ）は出力フィルタがない場合を表し、図４の（ｂ）は従来技術の出力側フィルタを用いた場合を表し、図４の（ｃ）は本発明の出力側フィルタを用いた場合の回路図を表す。また、図５は図４の（ｂ）の従来技術の出力側フィルタを用いた場合のコモンモード等価回路を表し、図４の（ｃ）の本発明の出力側フィルタを用いた場合のコモンモード等価回路を表す。本発明の出力側フィルタは、図４に示すようにコモンモードフィルタの帰線ｎ１とノーマルモードフィルタの中性点ｎ２を接続しているため、図５に示すようにコモンモードフィルタのバイパス回路部のインピーダンスが小さくなる。図８に従来技術および本発明の出力側フィルタを用いた場合のフィルタ特性を示す。図８に示すように、図４に示すようにコモンモードフィルタの帰線ｎ１とノーマルモードフィルタの中性点ｎ２を接続することにより、高周波領域におけるコモンモードフィルタのバイパス回路のインピーダンスが小さくなるためフィルタ特性が向上する。【００１５】
図９に従来技術および本発明の出力側フィルタを用いた場合のコモンモード電圧Ｖｃ１およびＶｃ２、フィルタ電流Ｉｆの計算結果を示す。ここで、Ｖｃ１はフィルタ前段のコモンモード電圧を表し、Ｖｃ２はフィルタ後段のコモンモード電圧を表す。図９に示すように本発明の出力側フィルタを用いることにより、フィルタ後段のコモンモード電圧Ｖｃ２の高周波成分が低減される。また、図１０に従来技術および本発明の出力側フィルタを用いた場合のフィルタ後段のコモンモード電圧Ｖｃ２の周波数解析の計算結果を示す。【００１６】
このように、コモンモードフィルタの帰線ｎ１とノーマルモードフィルタの中性点ｎ２を接続するような構成をしているので、高周波領域でのコモンモードフィルタのバイパス回路部のインピーダンスを小さくし、高周波成分のコモンモード電圧を低減することができる。
【産業上の利用可能性】
【００１７】
本発明の出力フィルタを用いることによって、モータに印加される高周波成分のコモンモード電圧を低減することができるので、モータ軸受部の電食による劣化を抑制することができる。また、電源側へ流れるコモンモード電流を低減できるので、雑音端子電圧抑制用として用いられるＥＭＩフィルタの接地コンデンサあるいはコモンモードチョークコイルを小さくすることができる。
【図１】
2009110354.tif 000003
【図２】
2009110354.tif 000004
【図３】
2009110354.tif 000005
【図４】
2009110354.tif 000006
【図５】
2009110354.tif 000007
【図６】
2009110354.tif 000008
【図７】
2009110354.tif 000009
【図８】
2009110354.tif 000010
【図９】
2009110354.tif 000011
【図１０】
2009110354.tif 000012
【国際調査報告】
2009110354.tif 000013
2009110354.tif 000014
2009110354.tif 000015
2009110354.tif 000016